(57)【要約】  【課題】  破断時のガイドの観点に着目し、包装箱の廃棄時に易破断線の破断方向がガイドされ、剥離を起こすことなく破断でき、偏平状態に折りたたんで廃棄できる包装箱を提供すること。  【解決手段】  複数枚連設した側壁部と、側壁部の上端縁と連設する上蓋部及び上フラップと、側壁部の下端縁と連設する底蓋部及び下フラップと、側壁部の左右何れかの端縁と連設する仕切壁部とを備える包装箱１において、包装箱１を組み立てたときに露出する底蓋部の略中央にミシン線状の易破断線を備え、易破断線には、中間部に押破断部２９と、押破断部２９に連設して破断する方向をガイドする斜破断部３１とを備え、包装箱１の廃棄時は押破断部２９を押し破った後、押破断部２９を引き上げて斜破断部３１に沿って破断できるようにした。【選択図】  図５
2005104528.tif 000002
【特許請求の範囲】
【請求項１】
複数枚連設した側壁部と、前記側壁部の上端縁と連設する上蓋部及び上フラップと、前記側壁部の下端縁と連設する底蓋部及び下フラップと、前記側壁部の左右何れかの端縁と連設する仕切壁部とを備える包装箱において、
前記包装箱を組み立てたときに露出する前記底蓋部の略中央にミシン線状の易破断線を備え、前記易破断線には、中間部に押破断部と、前記押破断部に連設して破断する方向をガイドする斜破断部とを備え、前記包装箱の廃棄時は前記押破断部を押し破った後、前記押破断部を引き上げて前記斜破断部に沿って破断できることを特徴とする折りたたんで廃棄できる包装箱。
【請求項２】
前記押破断部を備えた底蓋部と重なり合う底蓋部において、前記押破断部に対応する位置に押し破るのを補助する押破断補助部を備えることを特徴とする請求項１に記載の折りたたんで廃棄できる包装箱。
【発明の詳細な説明】
【技術分野】
【０００１】
本発明は、包装箱の廃棄時に偏平状態に折りたたんで廃棄できる包装箱に関する。
【背景技術】
【０００２】
一般に、包装箱は板紙や段ボール紙等を用いて組み立てられる。包装箱には複数の物品を区画して収容するため、内部に仕切壁を備えたものもある。
【０００３】
包装箱から物品を取出して廃棄する際には、収容時の立体状態では嵩張ってしまうので、折りたたんでから廃棄するようにしている。しかしながら、上記した仕切壁付き包装箱は、取扱い過程で収容物を保護する観点から厚手の板紙やボール紙で頑丈に形成され、また、内部に備えた仕切壁が補強材として作用するため、折りたたんで偏平状態にすることは容易でない。
【０００４】
従来、仕切壁付き包装箱を、折りたたんで偏平状態にできるようにしたものとして、易破断線を備えた包装箱がある（非特許文献１参照）。
【非特許文献１】実開平７−４０４４３号公報
【０００５】
図８は従来の易破断線を備える包装箱を示す。包装箱１００は、４枚に連設した側壁部と、側壁部の上端縁と連設する上蓋部及び上フラップと、側壁部の下端縁と連設する底蓋部及び下フラップと、複数の収容室に区画する仕切壁１２２、１２３とからなり、包装箱１００を組み立てた時に形成される収容室内には物品が収容される。仕切壁１２２，１２３は包装箱１００内に収容する物品が互いに衝突しないように配設され、簡単に組み立てられる。
【０００６】
また、側壁部のうち後側壁部１１４の下端縁、つまり、後側壁部１１４と底蓋部１１８とをつなぐ位置に、ミシン線状の易破断線１２８を備える。易破断線１２８は、押破断部１２９と直線部１３１とを有する。押破断部１２９は易破断線１２８の中間部に形成され、仕切壁１２３を配設していない部分に形成されている。つまり、押破断部１２９は仕切壁１２３で区画された一収容室内に入ることができる位置に形成されている。また、直線部１３１は押破断部１２９の両端に連設され、端縁まで形成されている。
【０００７】
上記のように構成された包装箱１００を廃棄する際には、はじめに押破断部１２９を押圧して破断する。次いでこの押破断部１２９に指先を掛けて底蓋部１１８を押し下げ、直線部１３１を両端まで破断させる。直線部１３１の両端まで破断されることにより、後側壁部１１４と底蓋部１１８とは離れ、その後は、包装箱１００を偏平状態に折りたたんで廃棄できる。
【発明の開示】
【発明が解決しようとする課題】
【０００８】
しかしながら、上記従来の易破断線を備えた包装箱は、後側壁部と底蓋部とを分離させるための観点でのみ設計されたものであり、破断時のガイドの観点では設計されていない。上記包装箱は破断時のガイドの観点で以下の問題がある。すなわち、包装箱が板紙やボール紙で頑丈に形成されている場合には、易破断線を破断する際に、直線部の両端まできれいに破断できないおそれがある。つまり、直線部が両端まで破断される途中で後側壁部と底蓋部との間で剥離を起こしてしまうおそれがある。また、頑丈に形成されていない包装箱でも強引に押し下げると、後側壁部と底蓋部との間で剥離を起こしてしまうおそれがある。後側壁部と底蓋部との間で剥離を起こし、直線部の両端まできれいに破断されなければ、包装箱を偏平状態に折りたたむことができず、嵩張ってしまうという問題がある。
【０００９】
本発明は、破断時のガイドの観点に着目し、包装箱の廃棄時に、易破断線の破断方向がガイドされ、剥離を起こすことなく破断でき、偏平状態に折りたたんで廃棄できる包装箱を提供することを目的とする。
【課題を解決するための手段】
【００１０】
本発明の請求項1に記載の発明は、複数枚連設した側壁部と、側壁部の上端縁と連設する上蓋部及び上フラップと、側壁部の下端縁と連設する底蓋部及び下フラップと、側壁部の左右何れかの端縁と連設する仕切壁部とを備える包装箱において、包装箱を組み立てたときに露出する底蓋部の略中央にミシン線状の易破断線を備え、易破断線には、中間部に押破断部と、押破断部に連設して破断する方向をガイドする斜破断部とを備え、包装箱の廃棄時は押破断部を押し破った後、押破断部を引き上げて斜破断部に沿って破断できるようにしたものである。
【００１１】
また、本発明の請求項２に記載の発明は、請求項１に記載の発明について、押破断部を備えた底蓋部と重なり合う底蓋部において、押破断部に対応する位置に押し破るのを補助する押破断補助部を備えるものである。
【発明の効果】
【００１２】
本発明の請求項１に記載の包装箱によれば、斜破断部が破断方向をガイドして剥離を起こすことなく易破断線を破断でき、包装箱を容易に偏平状態に折りたたんで廃棄することができる。
【００１３】
また、本発明の請求項２に記載の包装箱によれば、押破断部に対応する位置に押し破るのを補助する押破断補助部を備えることにより、押破断部を簡単かつ円滑に破断できる。
【発明を実施するための最良の形態】
【００１４】
以下、図面に基づき、本発明を実施するための最良の形態を説明する。図１に示すように、包装箱１は複数枚連設した側壁部１１，１２，１３，１４と、側壁部１１〜１４の上端縁と連設する上蓋部１５及び上フラップ１６，１７と、側壁部１１〜１４の下端縁と連設する底蓋部１８，１９及び下フラップ２０，２１と、側壁部１１〜１４の何れかと連設する仕切壁部２２，２３，２４とを有する。包装箱１を組み立てた時に形成される収容室内には物品を収容する。仕切壁２２〜２４は包装箱１内に収容した物品が互いに衝突しないように配設されている。また、それぞれの連設箇所には折り目２５が付けられ、側壁部１１と重なり合う壁部２６ならびに仕切壁２３，２４及び仕切壁の裏面２２'には糊付部２７が設けられている。組立時には折り目２５に沿って折込まれ、糊付部２７で糊付けされる。
【００１５】
また、包装箱１を組み立てたときに露出する底蓋部１８の略中央にはミシン線状の易破断線２８を備える。易破断線２８は、押破断部２９と斜破断部３１とを有する。押破断部２９は易破断線２８の中間部に形成されている。また、押破断部２９は仕切壁２４を設けていない部分に形成されている。つまり、押破断部２９は仕切壁２４で区画された一収容室内に入ることができる位置に形成されている。押破断部２９は易破断線２８において凸状に形成され、折り目３０が付けられている。また、斜破断部３１は、押破断部２９の両端に連設され、底蓋部１８の端縁に向って斜め方向に形成されている。押破断部２９及び斜破断部３１により、包装箱の廃棄時には、押破断部２９を押し破って引き上げると、破断方向がガイドされ、斜破断部３１に沿って破断させることができる。包装箱１は剥離を起こさずに底蓋部１８の両端まできれいに破断でき、容易に偏平状態に折りたたんで廃棄することができる。
【００１６】
また、底蓋部１９には、押破断部２９と重なり合う位置に押し破るのを補助する押破断補助部３２を備える。押破断補助部３２には易破断補助線３４を有し、折り目が付けられている。押破断補助部３２により、使用者が押破断部２９を押し破る際に、円滑に押し破ることができる。包装箱を組み立てた状態を図２に示す。
【００１７】
以下、図３乃至図７を用いて包装箱１の廃棄時について説明する。図３は包装箱１の廃棄前の状態を示し、収容されていた物品は全て取出される。図４は廃棄時の最初の段階を示す。使用者は押破断部２９を押し破り、折り目３０に沿って折り込む。使用者が押破断部２９を押し破る際には、押破断補助部３２に形成されている易破断補助線３４も押し破られ、押破断部２９と易破断補助部３２を押し破ることにより、包装箱１の一収容室内に入る。つづいて図５は、包装箱１の一収容室内に入った後に、引き上げる状態を示す。引き上げる際には、斜破断部３１により破断する方向がガイドされ、斜破断部３１に沿って破断させることができる。これにより、図６に示すように包装箱１は剥離を起こさずに底蓋部１８の両端まできれいに破断できる。最後に図７は底蓋部１８の両端まできれいに破断した後、包装箱１を折りたたんだ状態を示す。剥離を起こさずに破断できるので、包装箱１を容易に偏平状態に折りたたんで廃棄することができる。
【００１８】
以上、本実施の形態によれば、包装箱の底壁部１８に押破断部２９及び斜破断部３１を有する易破断線２８を有し、廃棄時には、押破断部２９を押し破り、斜破断部３１に沿って破断させることができるので、剥離を起こすことなく包装箱１を破断させることができる。これにより、包装箱１を容易に折りたたんで偏平状態のまま廃棄することができる。また、包装箱１９には押破断部２９を補助する押破断補助部３２を有しているので、円滑に押破断部２９を押し破ることができる。なお、本実施の形態では、包装箱１を仕切壁付きのものとしたが、仕切壁が付いていないものでも実施でき、同様の効果が得られることはいうまでもない。
【図面の簡単な説明】
【００１９】
【図１】本発明の一実施の形態で用いる包装箱の分解図
【図２】本発明の一実施の形態で用いる包装箱を組み立てた状態を示す図
【図３】本発明の一実施の形態で用いる包装箱を廃棄する一工程を示す図
【図４】本発明の一実施の形態で用いる包装箱を廃棄する一工程を示す図
【図５】本発明の一実施の形態で用いる包装箱を廃棄する一工程を示す図
【図６】本発明の一実施の形態で用いる包装箱を廃棄する一工程を示す図
【図７】本発明の一実施の形態で用いる包装箱を廃棄する一工程を示す図
【図８】従来の易破断線を備える包装箱を示す図
【符号の説明】
【００２０】
１  包装箱
１１  側壁部
１２  側壁部
１３  側壁部
１４  側壁部
１５  上蓋部
１６  上フラップ
１７  上フラップ
１８  底蓋部
１９  底蓋部
２０  下フラップ
２１  下フラップ
２２、２２'  仕切壁部
２３  仕切壁部
２４  仕切壁部
２５  折り目
２６  壁部
２７  糊付部
２８  易破断線
２９  押破断部
３０  折り目
３１  斜破断部
３２  押破断補助部
３４  易破断補助線
３５  折り目
【図１】
2005104528.tif 000003
【図２】
2005104528.tif 000004
【図３】
2005104528.tif 000005
【図４】
2005104528.tif 000006
【図５】
2005104528.tif 000007
【図６】
2005104528.tif 000008
【図７】
2005104528.tif 000009
【図８】
2005104528.tif 000010